(57)【要約】      （修正有）【課題】遊技機を起立姿勢で搬送するローラーコンベヤ装置において遊技機を傷付けることなく安定して支持する。【解決手段】ローラコンベヤ装置１０のローラ１４は、一対のコンベヤフレーム間に回動自在に枢支され、遊技機１６の下面が当接するローラ本体１８と、ローラ本体１８の外周面に着脱自在に外嵌された一対の鍔部材２０,２０とで構成される。鍔部材２０における遊技機１６の側縁部と対向する面には、ローラ本体１８の外周面から径方向外方に向かうにつれて遊技機１６の側縁部から離間するテーパ部２８が形成される。そして、鍔部材２０,２０により、遊技機１６に傷が付くのを抑制したもとで、該遊技機１６が倒れるのを防止するよう構成される。【選択図】図１
0003102273.tif 000002
【実用新案登録請求の範囲】
【請求項１】
遊技機を搬送するローラコンベヤ装置のローラであって、
コンベヤフレームに回動自在に枢支され、前記遊技機に当接するローラ本体と、
前記ローラ本体の外周面に設けられて径方向に突出し、該ローラ本体の軸方向への遊技機の移動を規制する鍔部材とからなり、
前記鍔部材における遊技機の側縁部と対向する面には、前記ローラ本体の外周面から径方向外方に向かうにつれて遊技機の側縁部から離間するテーパ部が形成されている
ことを特徴とするローラコンベヤ装置のローラ。
【請求項２】
前記鍔部材のテーパ部は、前記ローラ本体の軸と直交する基準線に対する傾斜角度が異なる少なくとも２つのテーパ面から構成され、遊技機に近接する側の第１テーパ面の傾斜角度は、遊技機から離間する第２テーパ面の傾斜角度より大きく設定されている請求項１記載のローラコンベヤ装置のローラ。
【請求項３】
前記第１テーパ面の傾斜角度は、２０〜５０°に設定される請求項２記載のローラコンベヤ装置のローラ。
【請求項４】
前記鍔部材は、分割された一対の半体から構成され、前記ローラ本体に対して着脱自在に外嵌される請求項１〜３の何れかに記載のローラコンベヤ装置のローラ。
【考案の詳細な説明】
【技術分野】
【０００１】
この考案は、遊技機を起立姿勢で搬送するローラコンベヤ装置に用いられるローラに関するものである。
【背景技術】
【０００２】
遊技機を組立てるに際し、該遊技機を寝かせた姿勢で行なう場合には大きなスペースを必要とするため、遊技機をスペース的に有利である起立させた姿勢で各種部品の組付けを行なっている。また、遊技機を出荷する前には各種の検査を行なうが、この場合には、遊技機がホールに実際に設置される起立姿勢で行なわれる。
【０００３】
前述したように遊技機を起立姿勢で組立てたり検査する場合において、該遊技機を搬送するための搬送装置として、ガイドレールとローラコンベヤとを対向配置し、ローラコンベヤに起立姿勢で載置した遊技機の上部をガイドレールで支持して搬送するものが提案されている。
【考案の開示】
【考案が解決しようとする課題】
【０００４】
前記搬送装置におけるローラコンベヤでは、一般に等径ローラが用いられており、遊技機を起立姿勢で支持する場合、該ローラの軸方向への移動を規制することができず、該遊技機に大きな負荷が加わった際に倒れるおそれがある。そこで、ローラの外周にフランジ(鍔部材)を設け、遊技機のローラ軸方向への移動を規制することが考えられるが、該フランジが遊技機の側面に当接したまま搬送されると、該遊技機に傷が付くおそれがある。
【０００５】
すなわちこの考案は、従来の技術に内在している前記課題に鑑み、これを好適に解決するべく提案されたものであって、遊技機を傷付けることなく安定して支持し得るローラコンベヤ装置のローラを提供することを目的とする。
【課題を解決するための手段】
【０００６】
前記課題を克服し、所期の目的を達成するため、本考案に係るローラコンベヤ装置のローラは、
遊技機(16)を搬送するローラコンベヤ装置(10)のローラ(14)であって、
コンベヤフレーム(12,12)に回動自在に枢支され、前記遊技機(16)に当接するローラ本体(18)と、
前記ローラ本体(18)の外周面に設けられて径方向に突出し、該ローラ本体(18)の軸方向への遊技機(16)の移動を規制する鍔部材(20,20)とからなり、
前記鍔部材(20,20)における遊技機(16)の側縁部と対向する面には、前記ローラ本体(18)の外周面から径方向外方に向かうにつれて遊技機(16)の側縁部から離間するテーパ部(28,30,32)が形成されていることを特徴とする。
【０００７】
前記鍔部材(20)のテーパ部(28)は、前記ローラ本体(18)の軸と直交する基準線(L)に対する傾斜角度が異なる少なくとも２つのテーパ面(28a,28b)から構成され、遊技機(16)に近接する側の第１テーパ面(28a)の傾斜角度(θ1)は、遊技機(16)から離間する第２テーパ面(28b)の傾斜角度(θ2)より大きく設定されている。
【０００８】
前記第１テーパ面(28a)の傾斜角度(θ1)は、２０〜５０°に設定される。
【０００９】
前記鍔部材(20)は、分割された一対の半体(22,22)から構成され、前記ローラ本体(18)に対して着脱自在に外嵌される。
【考案の効果】
【００１０】
本考案の請求項１に係るローラコンベヤ装置のローラによれば、ローラ本体に設けた鍔部材における遊技機の側縁部と対向する面にテーパ部を形成したから、遊技機を起立姿勢とした場合では、遊技機がローラ本体の軸方向に移動した際に、該遊技機の移動を規制して倒れるのを防ぐことができる。また遊技機の搬送中において、鍔部材が常に遊技機の側面に当接することはないから、該遊技機に傷が付くのを抑制し得る。なお、遊技機を寝かせた姿勢とした場合においても、該遊技機の軸方向への移動を規制して直線的に搬送し得ると共に、傷が付くのを防ぐことができる。
【００１１】
請求項２に係るローラによれば、鍔部材のテーパ部において、傾斜角度の大きな第１テーパ面を遊技機に近接する側に設けたから、鍔部材が遊技機の側面に当接するのは抑えられ、遊技機に傷が付くのは抑制される。また、傾斜角度の小さな第２テーパ面を遊技機から離間する側に設けたから、遊技機に負荷が加わってローラ本体の軸方向に滑ったとしても、該第２テーパ面により遊技機の軸方向への移動を確実に規制し得る。すなわち、起立姿勢の遊技機が倒れるのを確実に防止することができる。
【００１２】
請求項３に係るローラによれば、第１テーパ面の傾斜角度を、２０〜５０°の範囲に設定することで、遊技機の倒れや傷付きの発生をより抑制し得る。すなわち、遊技機の倒れに対しては傾斜角度を小さく(２０°)することが有利であり、また遊技機の傷付き防止に対しては傾斜角度を大きく(５０°)することが有利となる。また請求項４に係るローラによれば、鍔部材を、分割された一対の半体から構成することで、ローラ本体に対する位置調節を簡単に行なうことができる。更に、鍔部材の点検、清掃等のメンテナンス、あるいは鍔部材が破損した場合等の交換も容易である。
【考案を実施するための最良の形態】
【００１３】
次に、本考案に係るローラコンベヤ装置のローラにつき、好適な実施例を挙げて、添付図面を参照して以下に説明する。
【実施例】
【００１４】
図１および図２は、実施例に係るローラコンベヤ装置の概略構成を示すものであって、該ローラコンベヤ装置１０は、幅方向に離間する一対のコンベヤフレーム１２,１２の間に回動自在に配設されるローラ１４を、搬送方向に所定間隔で複数並列に配置して構成され、これらローラ群に遊技機１６が、搬送方向と交差する幅方向に前面および裏面を向けた略垂直な起立姿勢で載置される。全てのローラ１４は、図示しない駆動手段により同一方向に回転され、ローラ群に載置した起立姿勢の遊技機１６を搬送するよう構成される。また各ローラ１４は、前記一対のコンベヤフレーム１２,１２間に回動自在に枢支され、前記遊技機１６の下面が当接するローラ本体１８と、該ローラ本体１８の外周面に着脱自在に外嵌された一対の鍔部材２０,２０とで構成される。なお、ローラ本体１８および鍔部材２０は、合成樹脂を材質として、好適にはその表面にフッ素樹脂等をコーティングし、低摩擦化することで遊技機１６あるいはローラ本体１８や鍔部材２０に傷が付き難くすることが推奨される。
【００１５】
前記一対の鍔部材２０,２０は、ローラ本体１８に対して遊技機１６の厚み寸法(前後方向の寸法)と略同一長さだけローラ本体１８の軸方向に離間して外嵌されて、両鍔部材２０,２０の間に遊技機１６の下部が臨むよう構成される。各鍔部材２０は、全体として略リング状に形成されると共に、その内径寸法が、ローラ本体１８の外径寸法に略一致するよう設定されている。また各鍔部材２０は、図４に示す如く、分割された一対の半体２２,２２から構成され、両半体２２,２２を、ローラ本体１８を挟んで対向したもとで締結することにより、該鍔部材２０がローラ本体１８の所定位置に固定されるようになっている。
【００１６】
前記両半体２２,２２の構成は同一であって、ローラ本体１８に配設した状態では軸対称の関係となっているので、図４において上側に位置する半体２２の構成についてのみ説明し、下側に位置する半体２２の同一部には同じ符号を付して示すこととする。すなわち、半体２２は、半円弧状に形成されたものであって、その内周面の半径が前記ローラ本体１８の外周面の半径に略一致するよう設定されて、該内周面がローラ本体１８の外周面に密着するよう構成される。なお、半体２２の内周面には、周方向に離間して複数の肉抜き部２２ａが凹設され(図４における下側の半体２２参照)、軽量化が図られている。
【００１７】
前記半体２２における周方向の両端部には、他方の半体２２と当接する端面で開口する通孔２２ｂが接線と平行に夫々穿設されている。また半体２２における周方向の一方の端面には、前記通孔２２ｂを囲むように複数(実施例では４つ)の突部２２ｃが突設されると共に、他方の端面には、前記通孔２２ｂを囲むように突部２２ｃと同数の穴２２ｄが凹設されている。そして、前記ローラ本体１８を挟んで両半体２２,２２の端面同士を対向当接した際に、一方の半体２２の各突部２２ｃが他方の半体２２の対応する穴２２ｄに夫々嵌合されると共に、一方の半体２２の各穴２２ｄに他方の半体２２の対応する突部２２ｃが夫々嵌合されることで、両半体２２,２２は、対応する通孔２２ｂ,２２ｂが整列するよう位置決めされる。この状態で、整列した各通孔２２ｂ,２２ｂに挿通したボルト２４にナット２６を螺合して締付けることで、両半体２２,２２がローラ本体１８を挟持した状態で位置決め固定される。
【００１８】
前記鍔部材２０における遊技機１６の側縁部(実施例では前面または裏面)と対向する面(軸方向一方の面)には、図３に示す如く、前記ローラ本体１８の外周面から径方向外方に向かうにつれて遊技機１６の側縁部から離間するテーパ部２８が形成されている。このテーパ部２８は、ローラ本体１８の軸と直交する基準線Ｌに対する傾斜角度が異なる２つのテーパ面２８ａ,２８ｂから構成され、遊技機１６に近接する側の第１テーパ面２８ａの傾斜角度θ1は、遊技機１６から離間する第２テーパ面２８ｂの傾斜角度θ2より大きく設定されている。すなわち、第１テーパ面２８ａの傾斜角度θ1を大きくすることで、テーパ部２８の遊技機１６に近接する部分(第１テーパ面２８ａ)が該遊技機１６の側面から離間するから、遊技機１６の側面がテーパ部２８に当接し難くなり、傷等が付くのを抑制し得る。また第２テーパ面２８ｂの傾斜角度θ2を小さくすることで、テーパ部２８の遊技機１６から離間する部分(第２テーパ面２８ｂ)が該遊技機１６の側面から大きく離間することはなく、遊技機１６に厚み方向の負荷が加わってローラ本体１８の軸方向に滑ったとしても、該第２テーパ面２８ｂで遊技機１６の移動を確実に規制することができる。
【００１９】
前記第１テーパ面２８ａの傾斜角度θ1としては、遊技機１６の倒れを防止し、かつ傷が付くのを抑制するために、２０〜５０°の範囲に設定するのがよい。すなわち、遊技機１６の倒れを防止することを優先する場合には、傾斜角度θ1を小さく(２０°)設定し、遊技機１６が傷付くのを防止することを優先する場合には、傾斜角度θ1を大きく(５０°)設定すればよい。なお、遊技機１６の倒れおよび傷付きを併せて防止する場合は、傾斜角度θ1を３０°とするのが好適である。
【００２０】
なお、ローラコンベヤ装置１０に載置された遊技機１６の上部は、図示しないが、ガイドレールあるいはローラコンベヤ装置１０と同様のローラ群により支持される。
【００２１】
〔実施例の作用〕
次に、実施例に係るローラコンベヤ装置のローラの作用につき説明する。図１に示す如く、ローラコンベヤ装置１０のローラ群に、遊技機１６を略垂直な起立姿勢で載置する。このとき遊技機１６の下面は、図２に示す如く、ローラ１４における一対の鍔部材２０,２０の間に臨むローラ本体１８に当接する。この状態で、遊技機１６を厚み方向で挟む一対の鍔部材２０,２０により、該遊技機１６の下部がローラ本体１８の軸方向へ移動するのは規制される。すなわち、ローラコンベヤ装置１０に載置された起立姿勢の遊技機１６は、該遊技機１６の組付けあるいは検査に際して厚み方向に力が加っても、前記鍔部材２０,２０により軸方向への移動が規制され、該遊技機１６が倒れるのを防止して安定して支持し得る。
【００２２】
この場合において、前記各鍔部材２０における遊技機１６に近接する第１テーパ面２８ａの傾斜角度θ1は大きく設定されているから(図３参照)、該遊技機１６が搬送される際に、鍔部材２０が遊技機１６の下部側面(前面および裏面)に当接し難くなり、傷が付くのを抑制し得る。なお、前記鍔部材２０における第２テーパ面２８ｂの傾斜角度θ2は小さく設定されているから、遊技機１６に厚み方向の負荷が加わってローラ本体１８の軸方向に滑ったとしても、該第２テーパ面２８ｂで遊技機１６の移動を確実に規制することができ、該遊技機１６の倒れをより防止し得る。
【００２３】
前記鍔部材２０は、前記ボルト２４,２４を抜外して一対の半体２２,２２を分離することで、前記ローラ本体１８から簡単に取外すことができるから、該ローラ本体１８に対する鍔部材２０の配設位置を容易に調節し得る。従って、例えば中枠や遊技盤等を個別に搬送する場合にも、ローラ本体１８に対して一対の鍔部材２０,２０の離間幅を調節するだけで対応することができ、他の搬送機構を別途設置する必要はない。また、鍔部材２０の点検、清掃等のメンテナンスが容易であり、しかも鍔部材２０が変形したり破損した場合は、その交換も簡単に行なうことができる。
【００２４】
〔変更例〕
前記ローラ１４に設けられる鍔部材２０におけるテーパ部２８の形状は、実施例のような直線状のテーパ面に限定されるものでなく、例えば図５に示す如く、テーパ部３０を、凹形に湾曲するよう形成してもよい。この場合は、遊技機１６が傷付くのを防止することを優先して搬送可能である。また図６に示す如く、テーパ部３２を、凸形に湾曲するよう形成することができる。この場合は、遊技機１６が倒れるのを防止することを優先して搬送可能である。
【００２５】
また実施例では、テーパ部を２つのテーパ面で構成した場合で説明したが、傾斜角度が異なる３つや４つあるいは５つ以上で構成してもよく、その場合には遊技機から離間するにつれてテーパ面の傾斜角度が小さくなるようにするのがよい。
【００２６】
実施例では、ローラコンベヤ装置の全てのローラを駆動手段により回転するよう構成した場合で説明したが、遊技機を載置した際に接触する少なくとも１つのローラを回転駆動するよう構成してもよい。すなわち、積極駆動されるローラとローラとの間に、自由回転するローラが配置されている構成であってもよい。更には、全てのローラを自由回転するもので構成し、組付けあるいは検査等の作業が完了した際に、作業者が手で押すことで搬送することも可能である。
【００２７】
実施例では、主として遊技機を起立姿勢で搬送する場合で説明したが、本願考案のローラコンベヤ装置では、遊技機を寝かせた姿勢で搬送することもできる。そして、この場合においても、ローラ本体に載置された遊技機を挟む両側に鍔部材が臨むことで、該遊技機が軸方向に移動することを規制して略直線的に安定して搬送することができる。また、その際に鍔部材が遊技機の側面(寝かせた場合に鍔部材と対向する面)に接触するのはテーパ部により抑制されるから、該遊技機に傷が付くのも抑えられる。
【図面の簡単な説明】
【００２８】
【図１】実施例に係るローラコンベヤ装置の概略構成を示す斜視図である。
【図２】実施例に係るローラコンベヤ装置により遊技機を起立姿勢で支持した状態で示す要部概略正面図である。
【図３】実施例に係るローラにおける鍔部材の配設部位を示す要部正面図である。
【図４】実施例に係るローラから鍔部材を取外した状態を示す分解斜視図である。
【図５】変更例に係るローラにおける鍔部材の配設部位を示す要部正面図である。
【図６】別の変更例に係るローラにおける鍔部材の配設部位を示す要部正面図である。
【符号の説明】
【００２９】
１０ ローラコンベヤ装置，１２ コンベヤフレーム，１４ ローラ，１６ 遊技機
１８ ローラ本体，２０ 鍔部材，２２ 半体，２８ テーパ部，２８ａ 第１テーパ面
２８ｂ 第２テーパ面，３０ テーパ部，３２ テーパ部，Ｌ 基準線
θ1 第１テーパ面の傾斜角度，θ2 第２テーパ面の傾斜角度
【図１】
0003102273.tif 000003
【図２】
0003102273.tif 000004
【図３】
0003102273.tif 000005
【図４】
0003102273.tif 000006
【図５】
0003102273.tif 000007
【図６】
0003102273.tif 000008